(57)【要約】【課題】集塵ケースを掃除機本体より取り外す際に、集塵ケースの蓋が不用意に開いてごみが散乱することのない電気掃除機を提供する。【解決手段】掃除機本体（図示せず）に着脱自在に取り付けられる集塵ケース１７に、塵埃を遠心分離する分離部（図示せず）と、分離された塵埃を蓄積する集塵部（図示せず）と、前記集塵部を開閉自在に閉鎖する蓋体２３と、把手部２６と、前記把手部２６近傍に配され前記蓋体２３を開操作する操作部２７と、前記操作部２７を覆うカバー体２８を設けたもので、集塵ケース１７の取り外し時に操作部２７に触れないため、蓋体２３が不用意に開いてごみが散乱することがない。【選択図】  図３
2004329597.tif 000002
【特許請求の範囲】
【請求項１】
吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部、前記操作部を覆うカバー体を有する電気掃除機。
【請求項２】
カバー体を回動させ開いた後、操作部を操作する請求項１記載の電気掃除機。
【請求項３】
カバー体をスライド移動させ開いた後、操作部を操作する請求項１記載の電気掃除機。
【請求項４】
カバー体を略半円形に形成するとともに回動軸を設け、前記回動軸を中心に前記カバー体を回動させた後に、操作部を操作する請求項２記載の電気掃除機。
【請求項５】
吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記操作部近傍の前記集塵ケースの外郭を、前記操作部の外郭より突出させた電気掃除機。
【請求項６】
操作部を把手部から３０ｍｍ以内の範囲に設けた請求項５記載の電気掃除機。
【請求項７】
操作部を把手部位置から３０ｍｍ以上離れた位置に設けた請求項５記載の電気掃除機。
【請求項８】
吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記操作部の前記集塵ケースに対向する面に係止部を、前記係止部に係合する被係止部を前記集塵ケースにそれぞれ設けた電気掃除機。
【請求項９】
吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記把手部を使用者が握ったとき、水平かつ反把手部方向に直線状に力を加える方向以外に前記操作部をスライド移動させることにより、前記蓋体を開ける構成とした電気掃除機。
【請求項１０】
吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記把手部を使用者が握ったとき、水平かつ反把手部方向に直線状に力を加える方向以外に前記操作部を傾けることにより、前記蓋体を開ける構成とした電気掃除機。
【発明の詳細な説明】
【０００１】
【発明の属する技術分野】
本発明は、吸気を旋回して塵埃を遠心分離する集塵ケース（サイクロン集塵部）を有する電気掃除機に関するものである。
【０００２】
【従来の技術】
従来のサイクロン集塵部を有した電気掃除機では、サイクロン集塵部で吸引風より分離された塵埃は、サイクロン集塵部内の旋回気流の影響を受けながら、単純にその集塵部の下方に落積していく構成の物で、集塵後のごみ捨て時に対する配慮が無かった（例えば、特許文献１、特許文献２参照）。
【０００３】
【特許文献１】
特開２０００―３４２４９２号公報
【特許文献２】
特開平９―２５３０１１号公報
【０００４】
【発明が解決しようとする課題】
このような電気掃除機にあっては、ごみ捨て時に集塵ケースを掃除機本体より取り外して、集塵部の蓋を開いてごみを捨てるが、集塵ケースで、蓋開閉ボタンが把手部近傍にある場合、誤って開閉ボタンを押さえながら集塵ケースを取り外すと蓋が開いてごみが散乱するなどの課題があった。
【０００５】
本発明は上記従来の課題を解決しようとするもので、集塵ケースを取り外す時、不用意に蓋があいて塵埃がこぼれることがない、使用勝手の良い電気掃除機を提供することを目的としている。
【０００６】
【課題を解決するための手段】
本発明は上記目的を達成するために、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部、前記操作部を覆うカバー体を有するもので、集塵ケースの取り外し時に操作部に触れないため、蓋体が開いてごみが散乱することを防止できるものである。
【０００７】
【発明の実施の形態】
本発明の請求項１記載の発明は、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部、前記操作部を覆うカバー体を有するもので、集塵ケースの取り外し時に操作部に触れないため、蓋体が開いてごみが散乱することを防止できるものである。
【０００８】
本発明の請求項２記載の発明は、カバー体を回動させ開いた後、操作部を操作するもので、集塵ケースの取り外し時に操作部には触れることがなく、蓋が不用意に開くことがない。
【０００９】
本発明の請求項３記載の発明は、カバー体をスライド移動させ開いた後、操作部を操作するもので、集塵ケースの取り外し時に操作部に触れることがなく、蓋が不用意に開くことがない。
【００１０】
本発明の請求項４記載の発明は、カバー体を略半円形に形成するとともに回動軸を設け、前記回動軸を中心に前記カバー体を回動させた後に、操作部を操作するもので、集塵ケースの取り外し時に操作部に触れることがなく、蓋が不用意に開くことがない。
【００１１】
本発明の請求項５記載の発明は、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記操作部近傍の前記集塵ケースの外郭を、前記操作部の外郭より突出させたもので、集塵ケースの取り外し時に操作部に触れにくくなり、蓋が不用意に開くことがない。
【００１２】
本発明の請求項６記載の発明は、操作部を把手部から３０ｍｍ以内の範囲に設けたもので、把手を握ったまま片手で操作部が操作でき、使用性が向上する。
【００１３】
本発明の請求項７記載の発明は、操作部を把手部位置から３０ｍｍ以上離れた位置に設けたもので、集塵ケースの取り外し時に、把手を握った時に、指が触れない位置に操作部が在る為、操作部にうっかり触れることが無く、蓋が不用意に開くことがない。
【００１４】
本発明の請求項８記載の発明は、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記操作部の前記集塵ケースに対向する面に係止部を、前記係止部に係合する被係止部を前記集塵ケースにそれぞれ設けたもので、把手を握って集塵ケースを取り外す場合、前方より加わる押圧により、前記係止部と被係止部が係合し操作部が動かないため、蓋体が不用意に開かないものである。
【００１５】
本発明の請求項９記載の発明は、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記把手部を使用者が握ったとき、水平かつ反把手部方向に直線状に力を加える方向以外に前記操作部をスライド移動させることにより、前記蓋体を開ける構成としたもので、把手を握って集塵ケースを取り外す場合、把手部方向から加わる押圧で蓋体は不用意に開かないものである。
【００１６】
本発明の請求項１０記載の発明は、吸引風を発する電動送風機を内蔵する掃除機本体と、塵埃を吸引する吸込具と、前記吸込具、前記電動送風機に連通し前記掃除機本体に着脱自在に設けられた集塵ケースとを備え、前記集塵ケースは、塵埃を蓄積する集塵部、前記集塵部を開閉自在に閉鎖する蓋体、把手部、前記把手部近傍に配され前記蓋体を開操作する操作部を有するとともに、前記把手部を使用者が握ったとき、水平かつ反把手部方向に直線状に力を加える方向以外に前記操作部を傾けることにより、前記蓋体を開ける構成としたもので、把手を握って集塵ケースを取り外す場合に、把手部の方向から加わる押圧で、蓋体は不用意に開かないものである。
【００１７】
【実施例】
（実施例１）
以下本発明の第１の実施例を、図１〜図５を用いて説明する。
【００１８】
図１において、掃除機本体１は、手元ハンドル２とホース継ぎ手３付きのホース４とを介して延長管５を連結し、延長管５に取り付けられ塵埃を吸引する吸込具６に連通している。また、掃除機本体１は、枢支された１個の前輪キャスター７と一対の後輪８とを備えている。
【００１９】
この掃除機本体１は、図２に示すように、下本体９と上本体１０と本体カバー１１とで外郭を構成している。電動送風機１２は、吸引風を発するもので、前方を第１サポートゴム１３で支持し、後方を第２サポートゴム１４を介して第１モーターカバー１５と第２モーターカバー１６により支持して下本体９に装着し固定するようにしている。
【００２０】
集塵ケース１７は、図２〜図４に示すように、その外郭を構成する本体ケース１８と、塵埃を遠心分離する分離部１９と、粗塵を蓄積する粗塵収容部２０及び細塵を蓄積する細塵収容部２１からなる集塵部２２と、前記集塵部２２を開閉自在に閉鎖する蓋体２３を有している。なお、前記集塵部２２は下方開口で、前記蓋体２３が下方に回動することで、前記開口部を開放させる構成となっている。前記分離部１９の電動送風機１２側に電動送風機１２の吸気側と連通する吸気フィルター２４を配し、前記分離部１９と集塵部２２との間に粗塵捕集手段の捕集フィルター２５を配している。前記集塵ケース１７外郭に臨んで前方に把手部２６と、前記把手部２６近傍に蓋体２３を開操作する操作部２７を前記集塵ケース１７外郭の上部に有し、さらに前記操作部２７を覆うカバー体２８を配している。
【００２１】
前記操作部２７は、一端に回動軸２９を有し、下部に設けたスプリング３０で上方に附勢され、他端に操作棒３１を連結している。前記操作棒３１の他端は前記蓋体２３を開閉する尾錠３２に連動するように配している。前記尾錠３２は、バネ３３により蓋体２３を閉じる状態に維持する方向に附勢され、一端に蓋体２３の保持部３４と他端にレバー部３５を有している。３６はフロントカバーで前記把手部２６を一体に構成し前記カバー体２８に設けた回転軸３７を回転自在に保持するとともに、前記操作部２７、操作棒３１、尾錠３２等を覆うように前面より固定されている。この集塵ケース１７を電動送風機１２の吸気上流側、すなわち下本体９の前方に形成した凹部３８に、掃除機本体１の吸気口３９に連通し取り外し可能に装着している。
【００２２】
上記構成による作用は以下の通りである。
【００２３】
掃除機本体１の吸気口３９にホース４のホース継ぎ手３を連結し、ホース４に延長管５を介して吸込具６を連結し、運転を開始すると、吸気口３９より流入した吸気気流は、粗塵収容部２０へ入った後捕集フィルター２５を通過し、粗塵を捕集し、捕集フィルター２５の穴の開口面積よりも小さな投影面積を持った小さい塵は気流と共に分離部１９に入り遠心分離され、遠心分離された細塵は細塵収容部２１へ送り込まれる。一方吸気流は分離部１９にて殆ど塵埃がない状態となって吸気フィルター２４を通って電動送風機１２に吸引される。
【００２４】
集塵ケース１７に溜まった塵埃を廃棄する際には、把手部２６を握り集塵ケース１７を持上げ、掃除機本体１の凹部３８から取り外す。次に把手部２６を握ったまま指でカバー体２８を上方に開き、操作部２７を押すことにより操作棒３１が移動（図５において、下方に移動）し、バネ３３の付勢力に抗して尾錠３２を解除させ粗塵収容部２０、細塵収容部２１を閉鎖する蓋体２３を開き集塵部２２内の塵埃を廃棄することができる。
【００２５】
なお、集塵ケース１７を取り外す時、操作部２７がカバー体２８により覆われているため誤って操作部２７を押すなどして、不用意に蓋体２３が開くことがなく、塵埃のこぼれ、散乱等を防止できる。
【００２６】
（実施例２）
次に本発明の第２の実施例を、図６、図７を用いて説明する。なお上記第１の実施例と同一構成部品については同一符号、名称を付して、その説明を省略する。
【００２７】
４０は、操作部２７を覆うカバー体Ｂで、形状を略長方形とし、それをフロントカバー３６と本体ケース１８で左右にスライド移動可能に挟持している。前記カバー体Ｂ４０には、位置規制および操作のための操作部４１を一体に設けている。
【００２８】
上記構成による作用は、以下の通りである。
【００２９】
集塵ケース１７に溜まった塵埃を廃棄する際には、把手部２６を握り集塵ケース１７を持上げ、掃除機本体１の凹部３８から取り外す。次に把手部２６を握ったまま指で、カバー体Ｂ４０と一体の操作部４１を移動させ、次に操作部２７を押すことにより操作棒３１が移動し尾錠３２を解除させ粗塵収容部２０、細塵収容部２１を閉鎖する蓋体２３を開き集塵部２２内の塵埃を廃棄する。
【００３０】
なお、集塵ケース１７を取り外す時、操作部２７がカバー体Ｂ４０により覆われているため、誤って操作部２７を押すなどして蓋体２３が開くことがなく、集塵ケース１７を取り外す時の塵埃のこぼれ、散乱等を防止できる。
【００３１】
（実施例３）
次に本発明の第３の実施例を、図８、図９を用いて説明する。なお上記実施例と同一構成部品については同一符号を付して、その説明を省略する。
【００３２】
本実施例では、操作部２７を覆うカバー体Ｃ４２を略半円形とし、フロントカバー３６と本体ケース１８で回動自在に挟持している。前記カバー体Ｃ４２には位置規制および操作のための操作部４３と回動軸４４を一体に設けている。
【００３３】
上記構成による作用は以下の通りである。
【００３４】
集塵ケース１７に溜まった塵埃を廃棄する際には、把手部２６を握り集塵ケース１７を持上げ、掃除機本体１の凹部３８から取り外す。次に把手部２６を握ったまま指で、操作部４３を操作してカバー体Ｃ４２を回動させ、操作部２７を押すことにより、操作棒３１が移動し、尾錠３２を解除させ、粗塵収容部２０、細塵収容部２１を閉鎖する蓋体２３を開き集塵部２２内の塵埃を廃棄する。
【００３５】
なお、集塵ケース１７を取り外す時、操作部２７がカバー体Ｃ４２により覆われているため、誤って操作部２７を押すなどして蓋体２３が開くことがなく、集塵ケース１７を取り外す時の塵埃のこぼれ、散乱等を防止できる。
【００３６】
（実施例４）
次に本発明の第４の実施例を、図１０、図１１を用いて説明する。なお上記実施例と同一構成部品については同一符号、名称を付して、その説明を省略する。
【００３７】
集塵ケース１７外郭に臨んで把手部２６と、前記把手部２６近傍に蓋体２３を開操作する操作部２７を有し、前記操作部２７は一端に回動軸２９を有し、下部にスプリング３０を備え附勢され、他端に操作棒３１を連結している。前記操作棒３１の他端は前記蓋体２３を開閉する尾錠３２に連動するように配している。前記尾錠３２はバネ３３により一方向に附勢され一端に蓋体の保持部３４と他端にレバー部３５を有している。３６はフロントカバーで前記把手部２６を一体に構成し、前記操作部２７、操作棒３１、尾錠３２等を覆い前面より固定されている。前記操作部２７は、集塵ケース１７、フロントカバー３６の外郭より沈みこんだ状態で、前記把手部２６より水平方向に３０ｍｍ以内の位置に設定されている。
【００３８】
上記構成による作用は以下の通りである。
【００３９】
集塵ケース１７に溜まった塵埃を廃棄する際には、把手部２６を握り集塵ケース１７を持上げ、掃除機本体１の凹部３８から取り外す。次に把手部２６を握ったまま指で操作部２７を押すことにより、操作棒３１が移動し、尾錠３２を解除させることで、粗塵収容部２０、細塵収容部２１を閉鎖する蓋体２３を開き集塵部２２内の塵埃を廃棄する。
【００４０】
なお、集塵ケース１７を取り外す時、操作部２７が外郭より沈みこんだ状態であるため誤って操作部２７を押すことがないので、不用意に蓋体２３が開くことがなく、集塵ケース１７を取り外す時の塵埃のこぼれ散乱等を防止できる。
【００４１】
（実施例５）
次に本発明の第５の実施例を、図１２を用いて説明する。なお上記実施例と同一構成部品については同一符号、名称を付して、その説明を省略する。
【００４２】
操作部２７は、下部に備えたスプリング３０により上方に附勢され、かつ一体的に形成された操作棒４５を有し、上部操作面４６は前記集塵ケース１７、フロントカバー３６の外郭より沈みこんだ状態で、しかも前記把手部２６より水平方向に３０ｍｍ（Ｌ寸法）以上離れた位置に設定されている。
【００４３】
上記構成による作用は以下の通りである。
【００４４】
集塵ケース１７に溜まった塵埃を廃棄する際には、把手部２６を握り集塵ケース１７を持上げ、掃除機本体１の凹部３８から取り外す。次に操作部２７を押すことにより、操作棒４５が移動し、尾錠３２を解除させ、粗塵収容部２０、細塵収容部２１を閉鎖する蓋体２３を開き集塵部２２内の塵埃を廃棄する。
【００４５】
なお、集塵ケース１７を取り外す時、操作部２７が把手部２６より３０ｍｍ以上離れた位置であるため、誤って操作部２７を押すことがないので、不用意に蓋体２３が開くことがなく、集塵ケース１７を取り外す時の塵埃のこぼれ、散乱等を防止できる。
【００４６】
（実施例６）
次に本発明の第６の実施例を、図１３、図１４を用いて説明する。なお上記実施例と同一構成部品については同一符号、名称を付して、その説明を省略する。
【００４７】
操作部２７は一端に回動軸２９を有し、下部にスプリング３０を備え上方に附勢され、他端に操作棒３１を連結している。前記操作棒３１の他端は前記蓋体２３を開閉する尾錠３２に連動するように配している。前記尾錠３２はバネ３３により一方向に附勢され一端に蓋体の保持部３４と他端にレバー部３５を有している。３６はフロントカバーで前記把手部２６を一体に構成し前記カバー体２８に設けた回転軸３７を回転自在に保持するとともに、前記操作部２７、操作棒３１、尾錠３２等を覆い前面より固定されている。前記操作部２７の背面に係止部となる凸部４７を設け、本体ケース１８側には、前記凸部４７に係合する被係止部となる凹部４８が設けられている。
【００４８】
上記構成による作用は以下の通りである。
【００４９】
集塵ケース１７に溜まった塵埃を廃棄する際には、把手部２６を握り集塵ケース１７を持上げ、掃除機本体１の凹部３８から取り外すが、その際誤って操作部２７に触れても、前面より加わる押圧により凸部４７と凹部４８が係合し操作部２７の下方への移動が規制され、蓋体２３が不用意に開くことがなく、集塵ケース１７を取り外す時の塵埃のこぼれ、散乱等を防止できる。
【００５０】
（実施例７）
次に本発明の第７の実施例を、図１５、図１６を用いて説明する。なお上記実施例と同一構成部品については同一符号、名称を付して、その説明を省略する。
【００５１】
操作部２７は一端に回動軸２９を有し、スプリング３０を備え附勢され、他端に操作棒３１を一体に構成している。前記操作棒３１の他端は前記蓋体２３を開閉する尾錠３２に連動するように配している。前記尾錠３２はバネ３３により一方向に附勢され一端に蓋体の保持部３４と他端にレバー部３５を有している。３６はフロントカバーで前記把手部２６を一体に構成し、前記操作部２７、尾錠３２等を覆い前面より固定されている。
【００５２】
上記構成による作用は以下の通りである。
【００５３】
集塵ケース１７に溜まった塵埃を廃棄する際には、把手部２６を握り集塵ケース１７を持上げ、掃除機本体１の凹部３８から取り外すが、その際誤って操作部２７に触れても、前面から加わる押圧により、操作部２７の尾錠３２の解除方向への動きが規制され、蓋体２３が不用意に開くことがなく、集塵ケース１７を取り外す時の塵埃のこぼれ、散乱等を防止できる。蓋体２３を開く時は把手部２６を握ったまま、操作部２７を手前側（把手部２６側）に引く（スライド移動する）ことにより容易に行える。なお、本実施例においては、操作部２７を手前側（把手部２６）に引いているが、使用者が把手部２６を握ったとき、把手部２６から水平方向かつ直線状（真直）に離れる方向に力を加えることで、操作部２７がスライド移動しなければよい。
【００５４】
（実施例８）
次に本発明の第８の実施例を、図１７、図１８を用いて説明する。なお上記実施例と同一構成部品については同一符号、名称を付して、その説明を省略する。
【００５５】
操作部２７は中央に回動軸２９を有し、上部に操作面４６を、下部に操作棒４５を一体的に構成している。尾錠３２はバネ３３により一方向に附勢されており一端に蓋体２３の保持部３４と他端にレバー部３５を有し、前記レバー部３５には中央部より左右方向に広がる溝部４９を構成している。前記操作棒４５の他端は前記蓋体２３を開閉する尾錠３２の溝部４９に係合し操作部２７と尾錠３２を連動するように配している。３６はフロントカバーで前記把手部２６を一体に構成し、前記操作部２７、尾錠３２等を覆い前面より固定されている。
【００５６】
上記構成による作用は以下の通りである。
【００５７】
集塵ケース１７に溜まった塵埃を廃棄する際には、把手部２６を握り集塵ケース１７を持上げ、掃除機本体１の凹部３８から取り外すが、その際誤って操作部２７に触れても、前面より加わる押圧となり、操作部２７が尾錠３２の解除方向への動作が規制され、蓋体２３が開くことがなく、集塵ケース１７を取り外す時に塵埃のこぼれ、散乱等を防止できる。蓋体２３を開く時は把手部２６を握ったまま操作部２７を左右どちらかに倒す（傾ける）ことにより容易に行える。なお、本実施例においては、操作部２７を左右方向どちらかに倒す（傾ける）操作をしているが、使用者が把手部２６を握ったとき、前記把手部２６から水平方向かつ直線状（真直）に離れる方向に力を加えることで、操作部２７が傾かなければよい。
【００５８】
【発明の効果】
以上にように本発明によれば、集塵ケースを掃除機本体からとり外す際に、蓋体を開けるための操作部に不用意に触れたり、或いは、操作部を蓋体を開ける方向に不用意に操作することがないので、集塵ケースの取り外し時に蓋体が突然開いてごみが散乱することを確実に防止できるものである。
【図面の簡単な説明】
【図１】本発明の第１の実施例を示す電気掃除機の全体斜視図
【図２】同電気掃除機の掃除機本体の断面図
【図３】同掃除機本体の集塵ケースの正面図
【図４】同集塵ケースの破断側面図
【図５】図３のＡ−Ｂ−Ｃ断面図
【図６】本発明の第２の実施例を示す電気掃除機の集塵ケースの正面図
【図７】同集塵ケースの破断側面図
【図８】本発明の第３の実施例を示す電気掃除機の集塵ケースの正面図
【図９】同集塵ケースの破断側面図
【図１０】本発明の第４の実施例を示す電気掃除機の集塵ケースの正面図
【図１１】同集塵ケースの破断側面図
【図１２】本発明の第５の実施例を示す電気掃除機の集塵ケースの正面図
【図１３】本発明の第６の実施例を示す電気掃除機の集塵ケースの正面図
【図１４】同集塵ケースの破断側面図
【図１５】本発明の第７の実施例を示す電気掃除機の集塵ケースの正面図
【図１６】同集塵ケースの破断側面図
【図１７】本発明の第８の実施例を示す電気掃除機の集塵ケースの正面図
【図１８】同集塵ケースの破断側面図
【図１９】図１７におけるＡ−Ａ部分断面図
【符号の説明】
１    掃除機本体
６    吸込具
８    本体ケース
１２  電動送風機
１７  集塵ケース
１９  分離部
２２  集塵部
２３  蓋体
２６  把手部
２７  操作部
２８  カバー体
３７  回転軸
４４  回動軸
４７  凸部（係止部）
４８  凹部（被係止部）
【図１】
2004329597.tif 000003
【図２】
2004329597.tif 000004
【図３】
2004329597.tif 000005
【図４】
2004329597.tif 000006
【図５】
2004329597.tif 000007
【図６】
2004329597.tif 000008
【図７】
2004329597.tif 000009
【図８】
2004329597.tif 000010
【図９】
2004329597.tif 000011
【図１０】
2004329597.tif 000012
【図１１】
2004329597.tif 000013
【図１２】
2004329597.tif 000014
【図１３】
2004329597.tif 000015
【図１４】
2004329597.tif 000016
【図１５】
2004329597.tif 000017
【図１６】
2004329597.tif 000018
【図１７】
2004329597.tif 000019
【図１８】
2004329597.tif 000020
【図１９】
2004329597.tif 000021